(57)【要約】【課題】遮断弁が遮断したとき、その遮断事象を音声で報知することができ、遮断事象を消費者が正確に判別することができるガス漏れ警報器を提供することにある。【解決手段】ケース本体２にガスセンサ３、スピーカー４及びマイコンガスメーター９に内蔵された双方向遮断弁１５を遮断するための出力回路を備え、前記ガスセンサ３がガス漏れを検知したとき前記スピーカー４から警報を発生するとともに、前記出力回路から前記双方向遮断弁１５を遮断するための出力信号を発生するようにしたガス漏れ警報器において、前記ケース本体２に、前記マイコンガスメーター９に内蔵された双方向遮断弁１５の遮断事象を音声で記憶した音声記憶回路１９を設け、前記双方向遮断弁１５が遮断したとき、その遮断事象を前記スピーカー４から音声で報知することを特徴とする。【選択図】図３
2007080098.tif 000002
【特許請求の範囲】
【請求項１】
ケース本体にガスセンサ、スピーカー及びマイコンガスメーターに内蔵された遮断弁を遮断するための出力回路を備え、前記ガスセンサがガス漏れを検知したとき前記スピーカーから警報を発生するとともに、前記出力回路から前記遮断弁を遮断するための出力信号を発生するようにしたガス漏れ警報器において、
前記ケース本体に、前記マイコンガスメーターに内蔵された遮断弁の遮断事象を音声で記憶した音声記憶回路を設け、前記遮断弁が遮断したとき、その遮断事象を前記スピーカーから音声で報知することを特徴とするガス漏れ警報器。
【請求項２】
ケース本体にガスセンサ、スピーカー、マイコンガスメーターに内蔵された遮断弁を遮断するための遮断出力回路及び前記遮断弁を復帰するための復帰出力回路を備え、前記ガスセンサがガス漏れを検知したとき前記スピーカーから警報を発生するとともに、前記出力回路から前記遮断弁を遮断及び復帰するための出力信号を発生するようにしたガス漏れ警報器において、
前記ケース本体に、前記マイコンガスメーターに内蔵された遮断弁の遮断事象及び遮断弁の復帰操作案内を音声で記憶した音声記憶回路を設け、前記遮断弁が遮断したとき、その遮断事象を前記遮断弁の復帰操作案内とともに前記スピーカーから音声で報知することを特徴とするガス漏れ警報器。
【請求項３】
前記音声記憶回路及びスピーカーは、前記ケース本体に設けられた手動スイッチによって出力制御可能であることを特徴とする請求項１または２記載のガス漏れ警報器。
【請求項４】
前記復帰操作案内は、前記復帰操作手段を操作する復帰操作要領及び復帰操作完了を報知する音声であることを特徴とする請求項２記載のガス漏れ警報器。
【請求項５】
前記音声記憶回路に記憶された音声は、
ａ）ガスが不自然に大量に流れる異常流量の時。
ｂ）ガスの使用時間が異常に長い時。
ｃ）所定以上の震度の地震を感知した時。
ｄ）ガス漏れ警報器がガス漏れを感知してガス漏れ警報器から遮断信号が入力された時。
ｅ）ガスの圧力が異常に低下した時。
ｆ）ガスの微少流量が長期間継続した時。
ｇ）電池電圧が低下した時。
の少なくとも一つの遮断事象または警報事象に対応した音声であることを特徴とする請求項１または２記載のガス漏れ警報器。
【請求項６】
ガスメーター本体の内部の計量室に連通する連通口に、ガスの異常流量等の異常時や地震発生等の緊急時に遮断する双方向遮断弁を備えたマイコンガスメーターと、
ケース本体にガスセンサ、スピーカー、前記マイコンガスメーターに内蔵された双方向遮断弁を遮断するための遮断出力回路及び前記双方向遮断弁を復帰するための復帰出力回路を備え、前記ガスセンサがガス漏れを検知したとき前記スピーカーから警報を発生するとともに、前記出力回路から前記双方向遮断弁を遮断及び復帰するための出力信号を発生するようにしたガス漏れ警報器と、
からなるガス漏れ警報遮断システムにおいて、
前記ケース本体に、前記マイコンガスメーターに内蔵された双方向遮断弁の遮断事象及び双方向遮断弁の復帰操作案内を音声で記憶した音声記憶回路を設け、前記双方向遮断弁が遮断したとき、その遮断事象を前記双方向遮断弁の復帰操作案内とともに前記スピーカーから音声で報知することを特徴とするガス漏れ警報遮断システム。
【発明の詳細な説明】
【技術分野】
【０００１】
この発明は、ガス漏れを検知したとき警報するガス漏れ警報器及びガス漏れ警報遮断システムに関する。
【背景技術】
【０００２】
ガス漏れ警報器は、ガス器具の近傍の室内壁等に据え付けられ、ガス器具あるいはガス配管の接続部からガスが漏洩した場合、ガス漏れ警報器本体の内部に設けたガスセンサが漏れたガスを検知し、警報器が作動して警報を発生することにより、ガスが漏れていることを知らせるようになっている。
【０００３】
また、ガス漏れ警報器がマイコンガスメーターの遮断弁に電気的に接続されているガス漏れ警報遮断システムの場合には、ガス漏れ警報器が警報を発生するとともに、一定時間（４０秒前後）経過後、警報器作動信号をマイコンガスメーターに送り、これを前記マイコンガスメーターがガスの供給を停止するようになっている（例えば、特許文献１参照。）。
【０００４】
また、ガス漏れ警報器は、マイコンガスメーターに内蔵された遮断弁を閉弁するための出力回路を備えており、この出力回路がオンすると、マイコンガスメーターはその信号を受けて遮断弁を閉じるようになっている。
【０００５】
また、ガスメーター本体の内部に、地震を感知する感震器、ガス圧力低下を感知する圧力センサ及び制御回路を内蔵し、ガスの異常使用時、地震時あるいはガス圧力低下時等の緊急時に遮断弁としての双方向遮断弁を作動させてガスの流通を遮断するようにしたマイコンガスメーターが知られている（例えば、特許文献２参照。）。
【０００６】
一般に、マイコンガスメーターは、その本体内に機器収納室が設けられ、この機器収納室に感震器、プリント基板、圧力センサ及び電池が収納されている。さらに、ガスメーター本体のガス連通口には双方向遮断弁が設けられ、緊急時にガス連通口を遮断するようになっている。
【０００７】
さらに、ガスメーター本体の前面上部にはガス流量をデジタル表示するカウンタ部が設けられ、前面下部にはセキュリティ表示部が設けられ、このセキュリティ表示部の近傍には復帰スイッチとしての遮断弁開弁スイッチが表示ランプとともに設けられている。表示ランプは、通常時は消灯しているが、緊急時にガスメーター本体の内部の双方向遮断弁が閉弁してガス流通口を遮断すると、表示ランプが点灯または点滅して双方向遮断弁が遮断されたことを消費者やガス事業者に報知する。セキュリティ表示部には遮断事象が表示される。また、遮断弁開弁スイッチを押して復帰操作（スイッチオン）すると、電気的に双方向遮断弁を開弁できるようになっており、双方向遮断弁が開弁すると、表示ランプが消灯する。
【特許文献１】特開平１０−１８８１７５号公報
【特許文献２】特開２００４−１０９０５４号公報
【発明の開示】
【発明が解決しようとする課題】
【０００８】
従って、ガスが遮断し、表示ランプが点灯または点滅したとき、その遮断事象をセキュリティ表示部で詳細を確認した後、遮断弁開弁スイッチをスイッチオンすることにより、双方向遮断弁を開弁してガスの使用を再開することができる。しかし、マイコンガスメーターは、家屋の外壁等に据え付けられており、セキュリティ表示部は、液晶表示であり、夜間や設置場所が暗いところでは表示内容が判り難い。従って、表示ランプによる表示が必要となるが、従来の表示ランプは、通常（消灯）と異常（点滅）の２種類の表示パターンであり、表示ランプが点滅していてもその遮断事象が確認できない。
【０００９】
特に、遮断弁が遮断している状態と遮断弁を復帰した後の安全を確認するための状態（復帰安全確認時）が同じ表示であり、区別がつかない。ここで、「復帰安全確認」とは遮断弁が遮断した後、開弁する際の安全確認であって、ガスメーターより下流側のガス栓がもし開いたままになっている場合は、遮断弁が再び遮断して安全性を図っている。この復帰安全確認を行い、ガスメーターより下流側のガス栓が閉じていて復帰安全確認終了時も表示ランプが点滅から消灯に変化するだけで、いつ復帰安全確認終了したのか判り難いという問題がある。
【００１０】
そこで、特許文献２においては、遮断弁の遮断時と復帰安全確認時に、表示ランプの点滅・点灯パターンを変え、暗いところでもガスメーターの遮断弁の状態が判るようにしている。すなわち、遮断弁を復帰操作して安全を確認する復帰安全確認時に、その復帰操作を検知して表示ランプを、異常を報知する点滅とは異なる点滅パターンで点灯させている。また、復帰安全確認終了時に、表示ランプを点滅パターンとはさらに異なるパターンで点滅または点灯させ、復帰安全確認終了時を報知することが行われている。
【００１１】
しかし、遮断弁が遮断する遮断事象または警報事象には、次のような種類がある。
【００１２】
ａ）ガスが不自然に大量に流れる異常流量の時。
【００１３】
ｂ）ガスの使用時間が異常に長い時。
【００１４】
ｃ）所定以上の震度の地震を感知した時。
【００１５】
ｄ）ガス漏れ警報器がガス漏れを感知してガス漏れ警報器から遮断信号が入力された時。
【００１６】
ｅ）ガスの圧力が異常に低下した時。
【００１７】
ｆ）ガスの微少流量が長期間継続した時。
【００１８】
ｇ）電池電圧が低下した時。
【００１９】
従って、ガスメーター本体に設けられた表示ランプの点滅パターンで判別表示することは困難であり、仮に表示することができたとしても、遮断事象を消費者が判断することは困難である。また、マイコンガスメーターは、家屋の外壁等に据え付けられており、消費者が屋外に出てガスメーター本体に設けられた表示ランプの点滅パターンを見ないと遮断事象を知ることはできない。
【００２０】
一般に、遮断弁が遮断したとき、消費者はガス事業者へ通報する。ガス事業者は通報を受けると、現場に急行して遮断事象を確認した後、復帰操作を行っているが、ガス事業者は２４時間待機する必要があり、人件費等が嵩み、コストアップの原因になっている。
【００２１】
この発明は、前記事情に着目してなされたもので、その目的とするところは、マイコンガスメーター内の遮断弁が遮断したとき、その遮断事象を室内に居ながらスピーカーからの音声で報知することができ、遮断事象を消費者やガス事業者が正確に判別することができるガス漏れ警報器及びガス漏れ警報遮断システムを提供することにある。
【課題を解決するための手段】
【００２２】
この発明は、前述した目的を達成するために、請求項１は、ケース本体にガスセンサ、スピーカー及びマイコンガスメーターに内蔵された遮断弁を遮断するための出力回路を備え、前記ガスセンサがガス漏れを検知したとき前記スピーカーから警報を発生するとともに、前記出力回路から前記遮断弁を遮断するための出力信号を発生するようにしたガス漏れ警報器において、前記ケース本体に、前記マイコンガスメーターに内蔵された遮断弁の遮断事象を音声で記憶した音声記憶回路を設け、前記遮断弁が遮断したとき、その遮断事象を前記スピーカーから音声で報知することを特徴とする。
【００２３】
請求項２は、ケース本体にガスセンサ、スピーカー、マイコンガスメーターに内蔵された遮断弁を遮断するための遮断出力回路及び前記遮断弁を復帰するための復帰出力回路を備え、前記ガスセンサがガス漏れを検知したとき前記スピーカーから警報を発生するとともに、前記出力回路から前記遮断弁を遮断及び復帰するための出力信号を発生するようにしたガス漏れ警報器において、前記ケース本体に、前記マイコンガスメーターに内蔵された遮断弁の遮断事象及び遮断弁の復帰操作案内を音声で記憶した音声記憶回路を設け、前記遮断弁が遮断したとき、その遮断事象を前記遮断弁の復帰操作案内とともに前記スピーカーから音声で報知することを特徴とする。
【００２４】
請求項３は、請求項１または２記載の前記音声記憶回路及びスピーカーは、前記ケース本体に設けられた手動スイッチによって出力制御可能であることを特徴とする。
【００２５】
請求項４は、請求項２記載の前記復帰操作案内は、前記復帰操作手段を操作する復帰操作要領及び復帰操作完了を報知する音声であることを特徴とする。
【００２６】
請求項５は、請求項１または２記載の前記音声記憶回路に記憶された音声は、
ａ）ガスが不自然に大量に流れる異常流量の時。
【００２７】
ｂ）ガスの使用時間が異常に長い時。
【００２８】
ｃ）所定以上の震度の地震を感知した時。
【００２９】
ｄ）ガス漏れ警報器がガス漏れを感知してガス漏れ警報器から遮断信号が入力された時。
【００３０】
ｅ）ガスの圧力が異常に低下した時。
【００３１】
ｆ）ガスの微少流量が長期間継続した時。
【００３２】
ｇ）電池電圧が低下した時。
【００３３】
の少なくとも一つの遮断事象または警報事象に対応した音声であることを特徴とする。
【００３４】
請求項６は、ガスメーター本体の内部の計量室に連通する連通口に、ガスの異常流量等の異常時や地震発生等の緊急時に遮断する双方向遮断弁を備えたマイコンガスメーターと、ケース本体にガスセンサ、スピーカー、前記マイコンガスメーターに内蔵された双方向遮断弁を遮断するための遮断出力回路及び前記双方向遮断弁を復帰するための復帰出力回路を備え、前記ガスセンサがガス漏れを検知したとき前記スピーカーから警報を発生するとともに、前記出力回路から前記双方向遮断弁を遮断及び復帰するための出力信号を発生するようにしたガス漏れ警報器とからなるガス漏れ警報遮断システムにおいて、前記ケース本体に、前記マイコンガスメーターに内蔵された双方向遮断弁の遮断事象及び双方向遮断弁の復帰操作案内を音声で記憶した音声記憶回路を設け、前記双方向遮断弁が遮断したとき、その遮断事象を前記双方向遮断弁の復帰操作案内とともに前記スピーカーから音声で報知することを特徴とする。
【発明の効果】
【００３５】
この発明によれば、マイコンガスメーター内の遮断弁が遮断したとき、その遮断事象をガス漏れ警報器に設けられたスピーカーからの音声で知ることができ、室内に居ながら遮断事象を知ることができ、対応が迅速に行え、安全性を向上できる。さらに、遮断事象を遮断弁の復帰操作案内とともに音声で知ることにより、消費者自身が室内に設置されたガス漏れ警報器から双方向遮断弁の復帰操作を容易に行うことができ、ガス事業者の出動回数を減らすことができる。
【発明を実施するための最良の形態】
【００３６】
以下、この発明の実施の形態を図面に基づいて説明する。
【００３７】
図１〜図３は第１の実施形態を示し、図１はＬＰＧ用のガス漏れ警報器の正面図、図２はマイコンガスメーターの正面図、図３は電気回路図である。ガス漏れ警報器１はガス器具の近傍の室内壁等の低い位置に据え付けられ、ガス器具あるいはガス配管の接続部からガスが漏洩した場合に警報を発生するようになっている。
【００３８】
図１に示すように、ガス漏れ警報器１のケース本体２の前面における片側にはガスセンサ３及びスピーカー４が設けられている。ケース本体２の前面における上部には電源表示ランプを兼ねた警報表示ランプ５が設けられている。この警報表示ランプ５は電源がオン状態のとき点灯するとともに、スピーカー４から警報を発しているときに例えば点滅して消費者に報知するようになっている。さらに、ケース本体２の前面には消費者が手指で操作可能な音声案内スイッチ６、遮断弁閉スイッチ７及び遮断弁開スイッチ８が設けられている。
【００３９】
図２に示すように、マイコンガスメーター９は、ガスメーター本体１０の上部にはガス流入口１１及びガス流出口１２が設けられている。ガスメーター本体１０の前面上部にはガス流量をデジタル表示するカウンタ部１３が設けられている。ガスメーター本体１０の内部のガス流通口には双方向遮断弁１５（図３参照）が設けられている。また、ガスメーター本体１０の前面には双方向遮断弁１５を開弁する復帰スイッチ１６が設けられている。
【００４０】
図３に示すように、ガス漏れ警報器１のケース本体２の内部には警報器コントローラ１７が設けられ、マイコンガスメーター９のガスメーター本体１０にはメーターコントローラ１８が設けられている。警報器コントローラ１７とメーターコントローラ１８とは通信回路Ｌを介して接続されている。
【００４１】
警報器コントローラ１７には音声案内スイッチ６、遮断弁閉スイッチ７及び遮断弁開スイッチ８からの信号が入力されるとともに、双方向遮断弁１５を遮断する信号を出力するための遮断出力回路及び双方向遮断弁１５を復帰する信号を出力するための復帰出力回路を備えている。さらに、警報器コントローラ１７には音声ＩＣからなる音声記憶回路１９が接続され、音声記憶回路１９は増幅器２０を介して前記スピーカー４に接続されている。
【００４２】
前記音声案内スイッチ６はマイコンガスメーター９に内蔵された双方向遮断弁１５が遮断されたとき、その遮断事象を知りたいときにオンすると、スピーカー４から音声で遮断事象が流れるようになっている。さらに、遮断弁閉スイッチ７はマイコンガスメーター９の双方向遮断弁１５を遠隔操作によって閉弁するスイッチであり、遮断弁開スイッチ８は双方向遮断弁１５を遠隔操作によって開弁（復帰）するスイッチである。すなわち、ガス漏れ警報器１に設けられたスイッチが操作されると、警報器コントローラ１７から遮断弁開閉信号回路Ｍを介してメーターコントローラ１８に操作信号が入力され、メーターコントローラ１８から双方向遮断弁１５を閉弁または開弁する信号が出力されるようになっている。
また、マイコンガスメーター９には異常検知センサ２１が設けられている。異常検知センサ２１はガスの異常使用時、地震時あるいはガス圧力低下時等の緊急時に、これらを検知すると、検知信号がメーターコントローラ１８に入力されるようになっている。そして、メーターコントローラ１８から通信回路Ｌを介して警報器コントローラ１７に検知信号が入力され、警報表示ランプ５が点滅すると同時に、ガスメーター本体１０のガス連通口を遮断する双方向遮断弁１５が作動してガスの流通を遮断するようになっている。
【００４３】
警報器コントローラ１７に接続されている音声記憶回路１９は、マイコンガスメーター９に設けられた異常検知センサ２１から異常検知信号が入力されたとき、その異常内容、つまり、例えば、次の７種類の遮断及び警報事象を判別できる機能を持っている。
【００４４】
ａ）ガスが不自然に大量に流れる異常流量の時。
【００４５】
ｂ）ガスの使用時間が異常に長い時。
【００４６】
ｃ）所定以上の震度の地震を感知した時。
【００４７】
ｄ）ガス漏れ警報器がガス漏れを感知してガス漏れ警報器から遮断信号が入力された時。
【００４８】
ｅ）ガスの圧力が異常に低下した時。
【００４９】
ｆ）ガスの微少流量が長期間継続した時。
【００５０】
ｇ）電池電圧が低下した時。
【００５１】
また、音声記憶回路１９は、前記７種類の遮断及び警報事象に応じて音声が発生するように、例えば、次のような音声が記憶されている。
【００５２】
ａ）ガスが不自然に大量に流れる異常流量の遮断事象に対応して、
「ガスを止めました。ガスの使用量がオーバしました。ゴムホースの抜けや異常なガス消費がないか確認してください。ガス器具を消し、安全を確認後、復帰ボタンを押してください。」
ｂ）ガスの使用時間が異常に長い遮断事象に対応して、
「ガスを止めました。使用時間がオーバしました。ガス器具の消し忘れがないか確認してください。ガス器具を消し、安全を確認後、復帰ボタンを押してください。」
ｃ）所定以上の震度の地震を感知した遮断事象に対応して、
「ガスを止めました。感震器が作動しました。ガス器具を消し、安全を確認後、復帰ボタンを押してください。」
ｄ）ガス漏れ警報器がガス漏れを感知してガス漏れ警報器から異常信号が入力された遮断事象に対応して、
「ガスを止めました。ガス漏れ警報器が作動しました。ガス器具を消し、安全を確認後、復帰ボタンを押してください。」
ｅ）ガスの圧力が異常に低下した遮断事象に対応して、
「ガスを止めました。ガス圧力が異常に低下しました。ガス器具を消し、安全を確認後、復帰ボタンを押してください。」
ｆ）ガスの微少流量が長期間継続した警報事象に対応して、
「ガスを長く使っていませんか。ガスを一度止めてください。」
ｇ）電池電圧が低下した遮断事象に対応して、
「電池電圧が低下しています。ガス販売店に連絡してください。」
また、遮断弁開スイッチ８を操作して双方向遮断弁１５を復帰操作する復帰操作要領を報知する音声として、
「ガス漏れ警報器の前面の遮断弁開スイッチを手指で押してください。」
復帰操作完了を報知する音声として、
「復帰操作が完了しました。ガスが使えます。」
等の音声が記憶されている。
【００５３】
前述のように構成されたガス漏れ警報遮断システムによれば、ガスの異常使用時、地震時あるいはガス圧力低下時等の緊急時に、これらを検知する異常検知センサ２１から検知信号がメーターコントローラ１８に入力されると、メーターコントローラ１８からガスメーター本体１０に内蔵された双方向遮断弁１５に遮断信号が入力される。双方向遮断弁１５が遮断してガスメーター本体１０のガス流通口のガス流通を遮断するとともにガス漏れ警報器１の警報表示ランプ５が点滅する。また、双方向遮断弁１５が遮断すると同時にメーターコントローラ１８が遮断事象を判別する。そして、メーターコントローラ１８から警報器コントローラ１７を介して音声記憶回路１９に指令信号を入力すると、遮断事象に応じた音声が選択され、増幅器２０を介してスピーカー４から音声が発生して消費者に遮断事象を報知する。
【００５４】
すなわち、ガスが不自然に大量に流れる異常流量の遮断事象で双方向遮断弁１５が遮断した場合、スピーカー４から「ガスを止めました。ガスの使用量がオーバしました。ゴムホースの抜けや異常なガス消費がないか確認してください。ガス器具を消し、安全を確認後、復帰ボタンを押してください。」という音声が流れる。
【００５５】
また、所定以上の震度の地震を感知した遮断事象で双方向遮断弁１５が遮断した場合、「ガスを止めました。感震器が作動しました。ガス器具を消し、安全を確認後、遮断弁開スイッチを押してください。」という音声が流れる。
【００５６】
そこで、消費者は、復帰安全確認を行った後、遮断弁開スイッチ８を手指によって押してオンすると、その検知信号が警報器コントローラ１７に入力される。警報器コントローラ１７から通信回路Ｌを介してメーターコントローラ１８に検知信号が入力され、復帰安全確認時として判断すると、メーターコントローラ１８から出力信号によって双方向遮断弁１５が電気的に開弁され、警報表示ランプ５が点滅から点灯に切り替わるとともに、ガスの使用を再開できる。
【００５７】
従って、消費者は、音声内容によってガスが止まった理由を即座に知ることができ、対応が迅速に行える。さらに、双方向遮断弁１５の復帰操作案内を音声で知ることにより、消費者自身が音声を聴きながら復帰操作を容易に行うことができることから、ガス事業者にその都度通報することなく対処できる。
【００５８】
また、この復帰安全確認操作時に、ガスメーターより下流側のガス栓がもし開いたままになっている場合は、異常検知センサ２１から検知信号がメーターコントローラ１８に入力され、双方向遮断弁１５が再び遮断する。この復帰安全確認を行い、ガスメーターより下流側のガス栓が閉じていて双方向遮断弁１５が正常に開弁すると、復帰安全確認終了する。双方向遮断弁１５が正常に開弁すると、メーターコントローラ１８は復帰安全確認終了として判断し、メーターコントローラ１８からの出力信号によって、スピーカー４から「復帰操作が完了しました。ガスが使えます。」
という音声が流れる。
【００５９】
なお、双方向遮断弁１５の遮断時及び復帰操作時の音声内容は、一例を示しただけであり、前記実施形態に限定されるものではなく、双方向遮断弁１５の遮断時の遮断事象及び復帰操作時の復帰安全確認が消費者に判断できればよい。
【００６０】
また、前記実施形態においては、双方向遮断弁１５が遮断すると、メーターコントローラ１８が遮断事象を判別し、メーターコントローラ１８から警報器コントローラ１７を介して自動的に音声記憶回路１９に指令信号を入力して遮断事象に応じた音声がスピーカー４から発生して消費者に遮断事象を報知するようにした。しかし、音声案内スイッチ６を操作して警報器コントローラ１７に音声出力を停止させることが可能である。従って、双方向遮断弁１５が遮断して警報表示ランプ５が点滅したことを確認した後に、音声案内スイッチ６を操作して警報器コントローラ１７に音声出力を開始することが可能である。つまり、双方向遮断弁１５が遮断した後、必要に応じて遮断事象を音声で確認することも可能である。
【００６１】
また、警報器コントローラ１７とメーターコントローラ１８とを通信回路Ｎを介して信号を送受信できるようにすることにより、異常信号以外にガス漏れ警報器１からマイコンガスメーター９に出力信号を送信して双方向遮断弁１５を遠隔的に遮断・復帰可能である。
【００６２】
マイコンガスメーター９には、電話回線を使用しメーターの指針値や遮断事象情報等を離れたセンター設備に送る通信機能が付加されている。また、専用線を使用し屋内に情報盤等を設置することにより顧客にマイコンガスメーター９の情報を表示するための通信機能が付加されている。これらの通信機能は、前記警報器通信線Ｌよりも高機能であり通信項目も非常に多く、マイコンガスメーター９の状態が詳細に分る。また、この通信線を使用し、マイコンガスメーター９を遮断・復帰させることも可能である。このため、前記遮断弁開閉信号線Ｍ及び警報器信号線Ｌの代りに使用することも可能である。信号線の本数が少なくなり工事費の削減が可能となる。この通信線を警報器に接続することにより、警報器通信線Ｌの通信よりさらに高度な情報を取得することが可能となる。このため、より詳細なマイコンガスメーター９の状態を警報器で音声案内することも可能となる。
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００６３】
【図１】この発明の第１の実施形態を示し、ガス漏れ警報器の正面図。
【図２】同実施形態を示し、マイコンガスメーターの正面図。
【図３】同実施形態を示し、制御回路図。
【符号の説明】
【００６４】
１…ガス漏れ警報器、２…ケース本体、３…ガスセンサ、４…スピーカー、９…マイコンガスメーター、１５…双方向遮断弁、１７…警報器コントローラ、１９…音声記憶回路
【図１】
2007080098.tif 000003
【図２】
2007080098.tif 000004
【図３】
2007080098.tif 000005